【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
少なくとも一つの導電性素子と連通する実質的に平面の基板であって、実質的に平面構造が細胞との電気的連通を確立し及び／又は維持する少なくとも一つの非平面素子からなる実質的に平面の基板。
【請求項２】
非平面素子の少なくとも一つが、導電性流体が配置される開口部を有する突起部からなる請求項１に記載の基板。
【請求項３】
導電性流体が導電性素子と電気的に連通する請求項２に記載の基板。
【請求項４】
非平面素子の少なくとも一部が導電性表面からなる請求項１に記載の基板。
【請求項５】
非平面素子が非導電性表面からなる請求項１に記載の基板。
【請求項６】
基板の少なくとも一つがポリマーからなる請求項１に記載の基板。
【請求項７】
ポリマーが弾性ポリマーからなる請求項６に記載の基板。
【請求項８】
非平面素子の少なくとも一部が炭素原料からなる請求項１に記載の基板。
【請求項９】
非平面素子の少なくとも一部が流体源からの流体流にさらされる請求項１に記載の基板。
【請求項１０】
基板が流体源と連通する少なくとも一つのチャネルからなり、そして流体源が流体を基板中の少なくとも一つのチャネルを通過して非平面素子へ供給する請求項９に記載の基板。
【請求項１１】
基板が開口部を規定する非平面素子の表面と開口部に近接する細胞との間の抵抗固着を生み出すための圧力源と連通する請求項２に記載の基板。
【請求項１２】
基板が非平面素子の表面と非平面素子の表面に近接する細胞との間の電気抵抗固着を生み出すための圧力源と連通する請求項１に記載の基板。
【請求項１３】
表面が非平面である請求項４又は５に記載の基板。
【請求項１４】
表面が突出しているか或いは丸みを帯びている請求項４又は５に記載の基板。
【請求項１５】
非平面素子がピペット先端、キャピラリ又はマイクロピペットからなる請求項１に記載の基板。
【請求項１６】
非平面素子がピペット先端、キャピラリ又はマイクロピペットからなる請求項１２の何れかに記載の基板。
【請求項１７】
非平面素子が細胞を接触させるための非平面表面からなる請求項１５に記載の基板。
【請求項１８】
表面が突出しているか或いは丸みを帯びている請求項１７に記載の基板。
【請求項１９】
非平面素子が実質的に平面基板から取り外し可能な請求項１に記載の基板。
【請求項２０】
非平面素子が実質的に平面基板の切り離せない部分である請求項１に記載の基板。
【請求項２１】
更に、開口部を規定する非平面素子の表面と開口部に近接する細胞との間の電気抵抗固着を生み出すための電圧源からなる請求項１又は２に記載の基板。
【請求項２２】
固着の抵抗が少なくとも約１００Ｍオームである請求項２１に記載の基板。
【請求項２３】
非平面素子がピラミッド型、円錐型、楕円型、ドーナツ型であり、あるいは積層型平面素子からなる請求項１に記載の基板。
【請求項２４】
更に、流体源から流体を受け入れる細胞チャンバからなり、細胞チャンバが複数の非平面素子からなる請求項９に記載の基板。
【請求項２５】
流体源からの流体が基板中の一つ以上のチャネルから細胞チャンバへ提供される請求項９に記載の基板。
【請求項２６】
非平面素子の表面の少なくとも一部が親水性である請求項１に記載の基板。
【請求項２７】
一つ以上のチャネルからの流体が、細胞と非平面素子の開口部との間の電気抵抗固着を確立し及び／又は維持するための一つ以上の流体の流れを生み出す、請求項１０に記載の基板。
【請求項２８】
更に、少なくとも一つのチャネルの静水圧を制御するための流体制御機構からなる請求項１０に記載の基板。
【請求項２９】
非平面素子の表面が化学洗浄にさらされることによって改質される請求項１に記載の基板。
【請求項３０】
非平面素子の表面が気相化学析出によって改質される請求項１に記載の基板。
【請求項３１】
細胞と導電性素子との間の電気抵抗固着を確立し維持するための流体流を提供する機構からなるシステム。
【請求項３２】
導電性素子からなる請求項３１記載のシステム。
【請求項３３】
導電性素子が流体源に対して移動可能な請求項３２記載のシステム。
【請求項３４】
導電性素子がハウジングの内腔の内部に存在する請求項３２記載のシステム。
【請求項３５】
ハウジングがマイクロピペット、ピペット先端、キャピラリ及び中空電極からなる請求項３２記載のシステム。
【請求項３６】
導電性素子が炭素繊維電極からなる請求項３２記載のシステム。
【請求項３７】
内腔が導電性流体を包含する請求項３４記載のシステム。
【請求項３８】
システムが更に細胞チャンバからなり、導電性素子が細胞チャンバと電気的に連通している請求項３２記載のシステム。
【請求項３９】
導電性素子が細胞を接触させるための非平面素子と連携して提供され、非平面素子が実質的に平面の基板に接合されている請求項３２記載のシステム。
【請求項４０】
非平面素子が実質的に平面の基板に取り外し可能な状態で接合されている請求項３９記載のシステム。
【請求項４１】
更に、細胞チャンバへ細胞及び／又は流体を運搬するための少なくとも一つのチャネルからなる請求項３８記載のシステム。
【請求項４２】
更に、非平面素子へ細胞及び／又は流体を運搬するための少なくとも一つのチャネルからなる請求項３９記載のシステム。
【請求項４３】
更に、少なくとも一つの剤を細胞チャンバへ運搬するための機構からなる請求項４１記載のシステム。
【請求項４４】
更に、少なくとも一つの剤を細胞チャンバへ運搬するための機構からなる請求項４２記載のシステム。
【請求項４５】
剤が、蛋白質、ＤＮＡ、ＲＮＡ、ＰＮＡ、受容体作用薬、受容体拮抗薬、神経伝達物質、神経伝達物質類似体、酵素阻害剤、イオンチャネルモジュレータ、Ｇ−蛋白質共役型受容体モジュレータ、輸送阻害剤、ホルモン、ペプチド、毒素、抗体、製薬剤、化学物質、プリン作動薬、コリン作動薬、セロトニン作動薬、ドーパミン作動薬、麻酔薬、ベンゾジアゼピン、バルビタール酸塩、ステロイド、アルコール、金属カチオン、カンナビノイド、コレシストキニン、サイトカイン、興奮性アミノ酸、ＧＡＢＡ作動薬、ガングリオシド、ヒスタミン作動薬、メラトニン、神経ペプチド、神経毒、エンドセリン、ＮＯ化合物、オピオイド、シグマ受容体リガンド、ソマトスタチン、タキキニン、アンギオテンシン、ボンベシン、ブラジキニン、プロスタグランジン及びこれらの剤の組合せからなる群より選択される請求項４４記載のシステム。
【請求項４６】
更に、細胞を運搬するための機構からなる請求項４１又は４２記載のシステム。
【請求項４７】
機構が、圧力変化機構、光ピンセット、電気浸透機構、誘電泳動機構、交流運搬機構及び直流運搬機構からなる群より選択される請求項４６記載のシステム。
【請求項４８】
更に、細胞を導電性素子に近接して位置決めするためのマイクロ位置決め装置からなる請求項３２記載のシステム。
【請求項４９】
システムが細胞チャンバ中の少なくとも一つの流体の流れを発生させるための一つ以上のチャネルからなる請求項３８記載のシステム。
【請求項５０】
細胞へ流体を運搬するための出力チャネル及び細胞へ運搬された流体を受け入れる排出チャネルからなり、出力チャネルの縦軸及び排出チャネルの縦軸が異なる平面に位置する請求項３２記載のシステム。
【請求項５１】
異なる平面が互いに垂直である請求項５０記載のシステム。
【請求項５２】
異なる平面が互いに平行である請求項５０記載のシステム。
【請求項５３】
細胞へ流体を運搬するための出力チャネル及び細胞へ運搬された流体を受け入れる排出チャネルからなり、出力チャネルの縦軸及び排出チャネルの縦軸が同じ平面に位置する請求項３２記載のシステム。
【請求項５４】
出力チャネルから運搬される流体が排出チャネルによって受け入れられ、ｕ型の流体の流れが生み出される請求項５０記載のシステム。
【請求項５５】
システムが細胞との電気的連通を確立するための少なくとも一つの導電性素子からなる請求項３８又は３９記載のシステム。
【請求項５６】
流体の流れが導電性素子と電気的に連通する細胞接触表面と細胞接触表面に近接する細胞との間に電気抵抗固着を発生させる請求項５５記載のシステム。
【請求項５７】
システムが更に出力チャネル及び排出チャネルによって発生する流体の流れに近接するよう細胞を位置決めする位置決め装置からなる請求項５０記載のシステム。
【請求項５８】
導電性素子が細胞接触表面からなる請求項３４記載のシステム。
【請求項５９】
細胞接触表面が非平面表面である請求項３４記載のシステム。
【請求項６０】
更に、ｕ型の流体の流れを生み出すための排出チャネル及び出力チャネルと連通する圧力機構からなる請求項５０記載のシステム。
【請求項６１】
固着の電気抵抗が少なくとも約１００Ｍオーム以上である請求項５６に記載のシステム。
【請求項６２】
細胞を位置決めするための位置決め装置が内腔を規定するハウジング及び一端の開口部からなり、開口部を規定するハウジングの位置が細胞接触表面を形成し、導電性素子がハウジングの内腔内部に配置される請求項５７に記載のシステム。
【請求項６３】
システムが更に細胞の電気特性を記録する検出器からなる請求項３２に記載のシステム。
【請求項６４】
システムが更に電気特性を測定する機構からなる請求項３２に記載のシステム。
【請求項６５】
システムが更に細胞を電気穿孔する機構からなる請求項３２に記載のシステム。
【請求項６６】
システムがパッチクランプピペットからなる請求項３２に記載のシステム。
【請求項６７】
導電性素子が細胞チャンバと電気的に連通する請求項３２に記載のシステム。
【請求項６８】
細胞チャンバが少なくとも一つの非平面表面からなる請求項６７に記載のシステム。
【請求項６９】
細胞接触表面が非平面である請求項５６に記載のシステム。
【請求項７０】
細胞接触表面が突出している請求項５６に記載のシステム。
【請求項７１】
細胞接触表面が親水性である請求項６９に記載のシステム。
【請求項７２】
細胞接触表面が化学洗浄によって処理される請求項６９に記載のシステム。
【請求項７３】
細胞接触表面が気相化学析出によって処理される請求項７２に記載のシステム。
【請求項７４】
少なくとも一つの流体の流れに細胞をさらすことからなる細胞接触表面と細胞との間の電気抵抗固着を生成する方法。
【請求項７５】
電気抵抗が少なくとも約１００Ｍオームである請求項７４に記載の方法。
【請求項７６】
更に、細胞の電気特性を測定することからなる請求項７４に記載の方法。
【請求項７７】
流れがｕ型の流体の流れである請求項７４に記載の方法。
【請求項７８】
更に細胞を剤にさらす前及び後に特性を測定することからなる請求項７４に記載の方法。
【請求項７９】
剤が、蛋白質、ＤＮＡ、ＲＮＡ、ＰＮＡ、受容体作用薬、受容体拮抗薬、神経伝達物質、神経伝達物質類似体、酵素阻害剤、イオンチャネルモジュレータ、Ｇ−蛋白質共役型受容体モジュレータ、輸送阻害剤、ホルモン、ペプチド、毒素、抗体、製薬剤、化学物質、プリン作動薬、コリン作動薬、セロトニン作動薬、ドーパミン作動薬、麻酔薬、ベンゾジアゼピン、バルビタール酸塩、ステロイド、アルコール、金属カチオン、カンナビノイド、コレシストキニン、サイトカイン、興奮性アミノ酸、ＧＡＢＡ作動薬、ガングリオシド、ヒスタミン作動薬、メラトニン、神経ペプチド、神経毒、エンドセリン、ＮＯ化合物、オピオイド、シグマ受容体リガンド、ソマトスタチン、タキキニン、アンギオテンシン、ボンベシン、ブラジキニン、プロスタグランジン及びこれらの組合せからなる群より選択される請求項７８記載の方法。
【請求項８０】
方法が更に少なくとも一つの導電性素子と連通する実質的に平面の基板を提供することからなり、実質的に平面の構造が細胞との電気的な連通を確立する少なくとも一つの非平面素子からなり、これは細胞接触表面からなる請求項７４に記載の方法。
【請求項８１】
方法が更に細胞接触表面に電圧パルスを加えることからなり、固着の電気抵抗を増強する請求項７４に記載の方法。
【請求項８２】
方法が更に細胞接触表面に圧力を加えることからなり、固着の電気抵抗を増強する請求項７４に記載の方法。
【請求項８３】
方法が複数の流体の流れを提供することからなる請求項７６に記載の方法。
【請求項８４】
流体の流れの二つ以上が細胞と接触し、そして流れの一つ又は両者が細胞へ剤を運搬する請求項８３に記載の方法。
【請求項８５】
流体の流れの二つ以上が細胞と接触し、そして流れの少なくとも二つが異なる剤又は異なる濃度の同じ剤を運搬する請求項８３に記載の方法。
【請求項８６】
流れの少なくとも一つが細胞へ緩衝液を運搬する請求項８４又は８５に記載の方法。
【請求項８７】
少なくとも一つの非平面素子が壁の一部からなる請求項１記載の基板。
【請求項８８】
壁が細胞チャンバのものである請求項８７記載の基板。
【請求項８９】
突出している表面がカラム、ロッド、リーブ、開口を規定する表面又は壁の一部の１つ以上である請求項１８記載の基板。
【請求項９０】
ハウジングがマイクロチャネル又は電極区分の１つ以上からなる請求項３２記載のシステム。
【請求項９１】
ハウジングが複数のマイクロチャネルからなる請求項３２記載のシステム。
【請求項９２】
位置決め装置が細胞チャンバの突出した表面からなる請求項５７記載のシステム。
【請求項９３】
電極区分と流体状態で連通する開口部を規定する突出した表面からなる細胞チャンバからなる実質的に平面の基板であって、細胞チャンバが外部装置と流体状態で連通するように構成され、連通の１つ以上がマイクロチャネルからなる実質的に平面の基板。
【請求項９４】
電極区分と連通する開口部を規定する突出した表面からなる細胞チャンバと流体状態で連通する槽からなる実質的に平面の基板であって、連通の１つ以上がマイクロチャネルからなる実質的に平面の基板。
【請求項９５】
突出した表面がカラムからなる請求項９３又は９４記載の基板。
【請求項９６】
内腔がマイクロチャネルからなる請求項３４記載の基板。
【請求項９７】
壁の一部がマイクロチャネルからなる請求項８７記載の基板。
【請求項９８】
開口部を規定する突出した表面がマイクロチャネルからなる請求項９３又は９４記載の基板。
【請求項９９】
細胞と導電性素子との間の電気抵抗固着を確立し維持するための流体流を提供するシステムであって、電極区分と流体状態で連通する開口を規定する突出した表面からなる実質的に平面の基板からなり、基板が外部装置と流体状態で連通するように構成されたシステム。
【請求項１００】
導電性素子からなる請求項９９記載のシステム。
【請求項１０１】
導電性素子が流体源に対して移動可能な請求項１００記載のシステム。
【請求項１０２】
導電性素子がハウジングの内腔の内部に存在する請求項３２記載のシステム。
【請求項１０３】
方法が更に少なくとも一つの導電性素子と連通する実質的に平面の基板を提供することからなり、実質的に平面構造が細胞との電気的連通を確立し及び／又は維持する少なくとも一つの非平面素子からなり、少なくとも１つの非平面素子が壁の一部からなる請求項７４記載の方法。
【請求項１０４】
方法が更に少なくとも一つの導電性素子と連通する実質的に平面の基板を提供することからなり、実質的に平面構造が細胞との電気的連通を確立し及び／又は維持する少なくとも一つの非平面素子からなり、位置決め装置が細胞チャンバの突出した表面からなる請求項７４記載の方法。
【請求項１０５】
非平面素子が開口部を規定する突出した表面又は壁の一部の１つ以上からなる請求項１０３又は１０４記載の方法。
【請求項１０６】
開口部を規定する突出した表面がマイクロチャネル、カラム、ピラミッド型素子、ロッド又はリーブの一つ以上からなる請求項１０３又は１０４記載の方法。
【請求項１０７】
電気抵抗が少なくとも約１００Ｍオームである請求項１０３又は１０４記載の方法。
【請求項１０８】
方法が更に細胞の電気特性を測定することからなる請求項１０３又は１０４記載の方法。